(57)【要約】【課題】載置の向きを変えることにより廃液タンクから廃液が逆流し、漏れ出る。【解決手段】インクジェット式記録装置であって、装置本体と、記録ヘッドと、記録ヘッドからのインクの吐出の方向に対向して配され、記録ヘッドから吐出されたインクを廃液として受け取るキャップと、キャップに接続され、キャップで受け取られた廃液をキャップの外に排出する廃液チューブと、廃液チューブに接続され、廃液チューブに流入した廃液を収容する中空の廃液タンクと、縦置きの場合における廃液タンク内の最下点の近傍及び横置きの場合における廃液タンク内の最下点の近傍に配され、廃液タンクへ流入した廃液を吸収して保持する吸収材とを備える。【選択図】図６
2006159711.tif 000002
【特許請求の範囲】
【請求項１】
縦置きされた場合に底面となる本体縦底面及び横置きされた場合に底面となる本体横底面を有する装置本体と、
被記録物にインクを吐出して記録を行う記録ヘッドと、
前記記録ヘッドからのインクの吐出の方向に対向して配され、前記記録ヘッドから吐出されたインクを廃液として受け取るキャップと、
前記キャップに接続され、前記キャップで受け取られた廃液を前記キャップの外に排出する廃液チューブと、
前記廃液チューブに接続され、前記廃液チューブに流入した廃液を収容する中空の廃液タンクと、
前記縦置きの場合における前記廃液タンク内の最下点の近傍及び前記横置きの場合における前記廃液タンク内の最下点の近傍に配され、前記廃液タンクへ流入した廃液を吸収して保持する吸収材と
を備えるインクジェット式記録装置。
【請求項２】
前記廃液タンクは、前記縦置きの場合に底面となるタンク縦底面及び前記横置きの場合に底面となるタンク横底面を有し、
前記吸収材は、前記タンク縦底面及び前記横底面の両方にわたって敷き詰められている請求項１に記載のインクジェット式記録装置。
【請求項３】
前記廃液タンクは、前記廃液チューブに接続された部分において前記吸収材との間に中空部を有する請求項１に記載のインクジェット式記録装置。
【請求項４】
前記廃液チューブと前記廃液タンクとが接続する部分に配され、前記廃液チューブから前記廃液タンクへの廃液の流れを許容し、前記廃液タンクから前記廃液チューブへの廃液の流れを禁止する逆止弁を更に備える請求項３に記載のインクジェット式記録装置。
【請求項５】
前記廃液タンクは、前記縦置きの場合及び前記横置きの場合のいずれも前記廃液タンクにおける上部となる位置に、空気を流通させる空気穴を有する請求項１に記載のインクジェット式記録装置。
【発明の詳細な説明】
【技術分野】
【０００１】
本発明は、２つ以上の底面を有し、それぞれを底面として置かれるインクジェット式記録装置に関する。特に、インクジェット式記録装置が縦置きされた場合、横置きされた場合およびそれ以外の第３の置き方をされた場合のいずれにおいても、キャップから廃液タンクへ確実に廃液を流すインクジェット式記録装置に関する。
【背景技術】
【０００２】
インクジェット式記録装置は、記録ヘッドから被記録物にインクを吐出して記録を行う。また、インクジェット式記録装置は、記録ヘッドにおけるインクのメニスカスを整えるために記録ヘッドからキャップへインクを吐出するフラッシングの動作、及び、記録ヘッドにキャップをはめた状態でキャップ側から吸引することにより記録ヘッドからキャップへインクを吐出するクリーニングの動作がある。これらフラッシング及びクリーニングにおいてキャップに吐出されたインクは、廃液としてキャップから廃液タンクへ収容される。このインクジェット式記録装置は通常、最も広い面を底面として平面に載置されるが、当該底面のほかに、これと直交する面を第二の底面として載置されるものが知られている（例えば、特許文献１を参照）。
【特許文献１】特開平１１−３１４４３２号公報
【発明の開示】
【発明が解決しようとする課題】
【０００３】
上記特許文献１に記載されたインクジェット式記録装置においては、載置の向きを変えることにより廃液タンクから廃液が逆流し、漏れ出るという課題があった。
【課題を解決するための手段】
【０００４】
上記課題を解決するために、本発明の第１の形態においては、インクジェット式記録装置であって、縦置きされた場合に底面となる本体縦底面及び横置きされた場合に底面となる本体横底面を有する装置本体と、被記録物にインクを吐出して記録を行う記録ヘッドと、前記記録ヘッドからのインクの吐出の方向に対向して配され、前記記録ヘッドから吐出されたインクを廃液として受け取るキャップと、前記キャップに接続され、前記キャップで受け取られた廃液を前記キャップの外に排出する廃液チューブと、前記廃液チューブに接続され、前記廃液チューブに流入した廃液を収容する中空の廃液タンクと、前記縦置きの場合における前記廃液タンク内の最下点の近傍及び前記横置きの場合における前記廃液タンク内の最下点の近傍に配され、前記廃液タンクへ流入した廃液を吸収して保持する吸収材とを備える。これにより、インクジェット式記録装置が縦置きされた場合及び横置きされた場合のいずれにおいても、廃液タンクに収容された廃液を吸収材がより確実に吸収することができる。これにより、廃液タンクに収容された廃液が廃液タンクの外部に漏れ出ることを防ぐことができる。
【０００５】
上記インクジェット式記録装置において、前記廃液タンクは、前記縦置きの場合に底面となるタンク縦底面及び前記横置きの場合に底面となるタンク横底面を有し、前記吸収材は、前記タンク縦底面及び前記横底面の両方にわたって敷き詰められていてもよい。これにより、インクジェット式記録装置が縦置きされた場合及び横置きされた場合のいずれにおいても、廃液タンクに収容された廃液が廃液タンクの外部に漏れ出ることをより確実に防ぐことができる。
【０００６】
上記インクジェット式記録装置において、前記廃液タンクは、前記廃液チューブに接続された部分において前記吸収材との間に中空部を有してもよい。これにより、廃液タンクに流れ込んだ廃液を中空部において一時的に収容することができる。また、インクの一部または全部に顔料インクが使われる場合は、その廃液に含まれる固形分を中空部に溜めることができる。
【０００７】
上記インクジェット式記録装置は、前記廃液チューブと前記廃液タンクとが接続する部分に配され、前記廃液チューブから前記廃液タンクへの廃液の流れを許容し、前記廃液タンクから前記廃液チューブへの廃液の流れを禁止する逆止弁を更に備えてもよい。これにより、インクジェット式記録装置の姿勢が変えられた場合に、廃液タンクから廃液チューブへ廃液が逆流することを防ぐことができる。
【０００８】
上記インクジェット式記録装置において、前記廃液タンクは、前記縦置きの場合及び前記横置きの場合のいずれも前記廃液タンクにおける上部となる位置に、空気を流通させる空気穴を有してもよい。これにより、インクジェット式記録装置が縦置きされた場合及び横置きされた場合のいずれにおいても、廃液タンクに収容された廃液が空気穴から外部に漏れ出ることを防ぐことができる。
【０００９】
なお、上記の発明の概要は、本発明の必要な特徴の全てを列挙したものではなく、これらの特徴群のサブコンビネーションもまた、発明となりうる。
【発明を実施するための最良の形態】
【００１０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１１】
図１は、本発明の実施形態に係るインクジェット式記録装置３０が横置きされた状態を示す。図１に示すインクジェット式記録装置３０は、机、テーブル等の安定した載置面１０上に載置された待機状態を示す。インクジェット式記録装置３０は、略直方体の外形を有する筐体３２と、この筐体３２の三面を覆う本体カバー４０とを有する。ここで、本体カバー４０および筐体３２は、インクジェット式記録装置３０の外形的特長を定めており、これらをまとめて装置本体３５という。これら筐体３２および本体カバー４０により、インクジェット式記録装置３０はハードカバーの書籍の外形を有する。書籍の裏表紙に相当する本体横底面４４は、当該書籍の背表紙に相当する本体縦底面４２よりも広い。
【００１２】
図１に示す矢印Ａは、後述する記録ヘッド５０が被記録物１００上を走査する方向を示す。以下、矢印Ａを水平方向にしてかつ装置本体３５の広い方の面を底面としてインクジェット式記録装置３０を載置することを「横置き」という。すなわち、インクジェット式記録装置３０が横置きされる場合に、当該書籍の裏表紙に相当する本体横底面４４を底面にして載置される。また、インクジェット式記録装置３０が横置きされる場合に、書籍の表表紙に相当する上面には、給紙トレイ１４０及びこの給紙トレイ１４０の一辺に配された屈曲部４８が配される。給紙トレイ１４０は、屈曲部４８の部分で屈曲する。
【００１３】
図２は、インクジェット式記録装置３０が横置きされた場合の使用状態を示す。図２に示すように、インクジェット式記録装置３０の筐体３２は、本体横底面４４に対向する面に配された給紙口１４２及び書籍の背表紙に対向する面に配された排紙口１７４を有する。インクジェット式記録装置３０の使用状態において、給紙トレイ１４０は、屈曲部４８の部分で上方に屈曲される。これにより、筐体３２に設けられた給紙口１４２が露出する。
【００１４】
図３は、インクジェット式記録装置３０が縦置きされた場合の使用状態を示す。図３に示すように、インクジェット式記録装置３０は、書籍の背表紙に相当する本体縦底面４２を底面として載置される。以下、上述の矢印Ａを水平方向にしてかつ装置本体３５の狭い方の面を底面としてインクジェット式記録装置３０を載置することを「縦置き」という。これにより、装置本体３５は、２つの底面すなわち、横置きされた場合に底面となる本体横底面４４及び縦置きされた場合に底面となる本体縦底面４２を有する。図１から図３に示すインクジェット式記録装置３０において、本体縦底面４２と本体横底面４４とは直交しているので、インクジェット式記録装置３０が横置きされた場合は、縦置きされた場合から９０度回転した状態に相当する。
【００１５】
図４はインクジェット式記録装置３０を図１の矢印Ａに垂直な平面で切断した断面の概略を示す断面図であり、図５はインクジェット式記録装置３０から、筐体３２及び本体カバー４０を取り外して、インクジェット式記録装置３０の内部の概略を示す斜視図である。図４及び図５は、ともに図２に示した横置きの状態が示されている。
【００１６】
ここで以下に、図４及び図５に基づき、インクジェット式記録装置３０の各部の構成と機能の概略を説明する。インクジェット式記録装置３０は、上述の筐体３２及び本体カバー４０に加え、フレーム１１０と、給紙口１４２から挿入された被記録物１００を筐体３２の内部に給紙する給紙部１４１と、給紙された被記録物１００にインクを吐出して記録を行う記録部１６０と、記録部１６０にインクを供給するインク供給部１３０と、記録部１６０から吐出されたインクを廃液として回収する廃液部１３５と、記録が行われた被記録物１００をインクジェット式記録装置３０の外部に排紙する排紙部１７０とを備える。
【００１７】
給紙部１４１は、給紙口１４２から記録部１６０へ被記録物１００を案内する給紙ガイド１５０と、給紙口１４２の近傍に配された一対の給紙駆動ローラ１４４及び給紙従動ローラ１４６とを有する。給紙ガイド１５０は、給紙口１４２から記録ヘッド５０の下方に向けて湾曲する板状の部材であって、フレーム１１０に支持される。給紙駆動ローラ１４４は、回転自在にフレーム１１０に支持される。さらに、給紙駆動ローラ１４４は、回転軸に垂直な断面で略Ｄ字形状を有し、図示しないモータからの駆動力により回転軸まわりに回転する。給紙従動ローラ１４６は、給紙駆動ローラ１４４との間に被記録物１００を挟む位置に配され、回転自在にフレーム１１０に支持される。
【００１８】
記録部１６０は、被記録物１００へインクを吐出する記録ヘッド５０と、フレーム１１０に支持されて記録ヘッド５０を貫通するガイドシャフト５２と、記録ヘッド５０に把持された無端のタイミングベルト５４と、タイミングベルト５４を回転駆動するモータ５５とを有する。記録部１６０は、さらに、記録ヘッド５０においてインクが吐出される方向に対向して配されるプラテン１６１を有する。プラテン１６１は、ガイドシャフト５２と平行に延伸しており、フレーム１１０に回転可能に支持される。プラテン１６１は、給紙駆動ローラ１４４を駆動する不図示のモータにより給紙駆動ローラ１４４に同期して駆動される。
【００１９】
インク供給部１３０は、内部にインクを収容したインクカートリッジ１２０と着脱可能に接続するカートリッジ接続部１３１と、カートリッジ接続部１３１に接続されたインクカートリッジ１２０内に収容されたインクを記録ヘッド５０へ供給する供給チューブ１３２とを有する。
【００２０】
排紙部１７０は、被記録物１００を記録ヘッド５０に対向する位置から排紙口１７４に案内する一対の板状の排紙ガイド下１８０及び排紙ガイド上１８２と、排紙ガイド下１８０側に配された排紙駆動ローラ１７１と、排紙駆動ローラ１７１に対向して配された排紙従動ローラ１７２とを有する。排紙駆動ローラ１７１は、回転自在にフレーム１１０に支持される。さらに、排紙駆動ローラ１７１は、給紙駆動ローラ１４４を駆動する不図示のモータにより給紙駆動ローラ１４４に同期して駆動される。排紙従動ローラ１７２は、排紙駆動ローラ１７１との間に被記録物１００を挟む位置に配され、回転自在にフレーム１１０に支持される。
【００２１】
廃液部１３５は、プラテン１６１の長手方向におけるプラテン１６１よりも外側に配されたキャップ６０と、キャップ６０に接続された廃液チューブ７０と、廃液チューブ７０の一部を把持する廃液ポンプ７２と、廃液チューブ７０に接続された廃液タンク８０とを有する。
【００２２】
以上の構成において、インクジェット式記録装置３０は以下の通りに被記録物１００上に記録を行う。まず、給紙口１４２から被記録物１００が挿入されると、給紙駆動ローラ１４４及び給紙従動ローラ１４６が被記録物１００を挟む。この状態で給紙駆動ローラ１４４が回転駆動されることにより給紙従動ローラ１４６が給紙駆動ローラ１４４に連れ回る。これにより、給紙駆動ローラ１４４及び給紙口１４２は、被記録物１００を給紙ガイド１５０に沿って図中矢印Ｂの方向へ給紙する。
【００２３】
被記録物１００が記録ヘッド５０とプラテン１６１との間に給紙されると、モータ５５がタイミングベルト５４を回転駆動することにより、タイミングベルト５４が記録ヘッド５０を本体縦底面４２の長手方向に沿って往復移動する。これにより記録ヘッド５０は被記録物１００上を往復移動しつつ、被記録物１００へインクを吐出することにより、被記録物１００に記録を行う。記録ヘッド５０が被記録物１００に対して一往復した後に、給紙駆動ローラ１４４及び給紙従動ローラ１４６が被記録物１００をさらに微少量だけ給紙し、その後、記録ヘッド５０は被記録物１００上を往復移動しつつ、被記録物１００へインクを吐出することにより、さらに被記録物１００に記録を行う。これを繰り返すことにより、記録ヘッド５０は、被記録物１００の一面にわたってインクを吐出して記録を行うことができる。
【００２４】
給紙駆動ローラ１４４及び給紙従動ローラ１４６が更に被記録物１００を給紙することにより、被記録物１００は排紙駆動ローラ１７１及び排紙従動ローラ１７２の間隙に到達する。排紙駆動ローラ１７１及び排紙従動ローラ１７２は、この間隙において被記録物１００を挟む。この状態で排紙駆動ローラ１７１が回転駆動されることにより、排紙従動ローラ１７２が排紙駆動ローラ１７１に連れ回る。これにより、排紙駆動ローラ１７１及び排紙従動ローラ１７２は、被記録物１００を排紙ガイド下１８０及び排紙ガイド上１８２の間に搬送して排紙口１７４からインクジェット式記録装置３０の外へ排出する。
【００２５】
なお、記録ヘッド５０からインクが吐出される向きはインクジェット式記録装置３０に対して固定されているので、インクジェット式記録装置３０が縦置きされる場合と横置きされる場合とで、載置面１０を基準面とすると記録ヘッド５０からインクが吐出される向きが異なる。図４に示す例においては、本体横底面４４を底面とする横置きの場合に、記録ヘッド５０は鉛直下方へインクを吐出する。このとき、本体縦底面４２を底面とする縦置きの場合に、インクジェット式記録装置３０は図４を右回りに９０度回転した姿勢となり、記録ヘッド５０は水平方向へインクを吐出する。
【００２６】
インクジェット式記録装置３０が待機状態の場合に、記録ヘッド５０はガイドシャフト５２に案内されてプラテン１６１の長手方向の外側にある待機位置に退避する（図５におけるプラテン１６１より右側）。記録ヘッド５０がこの位置に来た状態では、キャップ６０が記録ヘッド５０の下面を覆う。これにより、記録ヘッド５０が使用されない場合にインクの溶媒が蒸発してインクが記録ヘッド５０に目詰まりすることを防ぐ。また、インクジェット式記録装置３０が使用状態にあって、記録ヘッド５０のクリーニングを行なう場合またはフラッシングを行なう場合に、記録ヘッド５０は、プラテン１６１の長手方向の外側の待機位置に移動する。
【００２７】
クリーニング時に、待機位置において、キャップ６０は記録ヘッド５０の下面を覆う。この状態において、廃液ポンプ７２が廃液チューブ７０内を吸引することにより、記録ヘッド５０からキャップ６０へインクを強制的に吐出させる。また、インクのフラッシングの場合に、待機位置において、記録ヘッド５０へ印刷信号とは異なる信号を与えて記録ヘッド５０からインクを吐出させて記録ヘッド５０におけるインクのメニスカスを整える。上記クリーニング及びフラッシングにおいて吐出されたインクを、廃液としてキャップ６０が受け取り、廃液チューブ７０を通って廃液タンク８０が収容する。
【００２８】
図６は廃液部１３５及び装置本体３５を図１の矢印Ａに垂直な平面で切断し、図１の右側から見た断面図とした斜視図である。図６に示されるように、廃液部１３５は、中空の略直方体の廃液タンク８０及び廃液タンク８０の内部に配された吸収材９０を有する。廃液タンク８０のタンク縦底面８２及びタンク横底面８４がそれぞれ本体縦底面４２及び本体横底面４４に対して略並行になる姿勢で、廃液タンク８０が装置本体３５内に固定されている。吸収材９０は、例えばパルプ材である。吸収材９０が配されている位置は、横置きの場合における廃液タンク８０内の最下点の近傍であると共に、縦置きの場合における廃液タンク８０内の最下点の近傍でもある。
【００２９】
図６に示す形態では、インクジェット式記録装置３０が縦置きの場合において、廃液タンク８０のタンク縦底面８２が底面すなわち最下点となる。また、インクジェット式記録装置３０が横置きの場合において、廃液タンク８０のタンク横底面８４が底面すなわち最下点となる。吸収材９０は、タンク縦底面８２及びタンク横底面８４の両方にわたって、その内面側に敷き詰められている。従って、廃液タンク８０はインクジェット式記録装置３０が縦置きの場合においても、横置きの場合においても、ともに記録ヘッドからの廃液をより多く受け入れ、一層確実に吸収することができる。
【００３０】
また、廃液タンク８０内における廃液チューブ７０との接続部分の近傍には、中空部９２が設けられている。中空部９２は、廃液タンクに流れ込む廃液の流量が、吸収材９０への浸透速度を超えて一時的に増加した場合に、その増加分を収容するバッファーの役割を果たす。また、インクの一部または全部に顔料インクが使われる場合は、その廃液中に吸収剤への浸透が困難な固形分が含まれるが、中空部９２はそれらを収容して溜めることができる。
【００３１】
廃液タンク８０内の空間において、タンク縦底面８２及びタンク横底面８４の双方から最も遠い位置には、空気穴８６が設けられている。空気穴８６は、廃液タンク８０に収容される廃液により押し出される空気を廃液タンク８０外に放出させることにより、廃液タンク８０への廃液の流入を円滑にする。空気穴８６の位置は、縦置き及び横置きのいずれの状態においても、廃液タンク８０内に収容される廃液の、通常想定される液面よりは最も離れており、従って空気に混入して廃液が流出することを防ぐことができる。
【００３２】
廃液チューブ７０には、廃液タンク８０に接近して逆止弁６２が設けられている。逆止弁６２は、廃液チューブ７０から廃液タンク８０への廃液の流れを許容する一方で、廃液タンク８０から廃液チューブ７０へ廃液が逆流することを禁止する。これにより、インクジェット式記録装置３０の載置面の変更、運搬、メンテナンス時などに、廃液タンク８０から廃液チューブ７０へ廃液が逆流することを阻止することができる。
【００３３】
図７（ａ）及び図７（ｂ）は、廃液タンク８０の他の例を示す。図７（ａ）はインクジェット式記録装置３０を横置きした状態を示し、図７（ｂ）は縦置きした状態を示す。図７（ａ）に示す廃液タンク８０は、中空で略直方体の外形を有する。廃液タンク８０は、一面（図における底面）側に敷き詰められた吸収材９０と、当該一面に取り付けられた重り８８と、側面から図１の矢印Ａの方向に延伸する一対の回転軸８９とを有する。回転軸８９が装置本体３５に回転可能に支持され、これにより、廃液タンク８０自体も装置本体３５に対して回転可能に支持される。
【００３４】
上記構成において、図７（ａ）に示す状態においては、重り８８の自重により、廃液タンク８０は、重り８８が設けられた面が本体横底面４４と平行になる姿勢になっている。これにより、廃液が廃液タンク８０に導入されると、下方に配された吸収材９０に落下し、これに吸収される。一方、図７（ｂ）に示す状態においても、重り８８の自重により、廃液タンク８０は、重り８８が設けられた面が本体縦底面４２と平行になる姿勢になっている。この場合にも、廃液が廃液タンク８０に導入されると、下方に配された吸収材９０に落下し、これに吸収される。
【００３５】
以上、図７（ａ）及び図７（ｂ）に示す廃液タンク８０においては、重り８８の自重により、縦置き及び横置きの場合のいずれも、廃液タンク８０が回転して吸収材９０が廃液タンク８０内における下方に位置する。よって、縦置き及び横置きの場合のいずれも、廃液タンク８０に収容された廃液を吸収材９０がより確実に吸収することができる。これにより、廃液タンク８０に収容された廃液が廃液タンク８０の外部に漏れ出ることを防ぐことができる。
【００３６】
なお、図１から図５に示すインクジェット式記録装置３０において、記録ヘッド５０が走査する方向を水平方向にしてかつ装置本体３５の広い方の面を底面としてインクジェット式記録装置３０を載置することを「横置き」とし、狭い方の面を底面として載置することを「縦置き」としたが、置き方の名称はこれに限られず、逆にしてもよい。また、装置本体３５における上記二つの底面の面積が等しい場合にはいずれを「縦置き」または「横置き」としてもよい。
【００３７】
また、図１から図５に示すインクジェット式記録装置３０は、縦置きの場合及び横置きの場合の両方において被記録物１００に記録をすることができるが、本発明の実施形態はこれに限られない。縦置きまたは横置きの一方において被記録物１００に記録をすることができるが、他方においては載置面１０に載置をすることはできるが被記録物１００に記録をすることができない形態であってもよい。
【００３８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３９】
【図１】本発明の実施形態に係るインクジェット式記録装置３０が横置きされた状態を示す。
【図２】インクジェット式記録装置３０が横置きされた場合の使用状態を示す。
【図３】インクジェット式記録装置３０が縦置きされた場合の使用状態を示す。
【図４】インクジェット式記録装置３０を図１の矢印Ａに垂直な平面で切断した断面の概略を示す断面図である。
【図５】インクジェット式記録装置３０の内部の概略を示す斜視図である。
【図６】廃液タンクおよびその周辺についての一部断面を含む斜視図である。
【図７】（ａ）及び（ｂ）は、廃液タンク８０の他の例を示す。
【符号の説明】
【００４０】
１０  載置面、３０  インクジェット式記録装置、３２  筐体、３５  装置本体、４０  本体カバー、４２  本体縦底面、４４  本体横底面、４８  屈曲部、５０  記録ヘッド、５２  ガイドシャフト、５４  タイミングベルト、５５  モータ、５６  足、６０  キャップ、６２  逆止弁、７０  廃液チューブ、７２  廃液ポンプ、８０  廃液タンク、８２  タンク縦底面、８４  タンク横底面、８８  重り、８９  回転軸、９０  吸収材９０、１００  被記録物、１１０  フレーム、１２０  インクカートリッジ、１３０  インク供給部、１３１  カートリッジ接続部、１３２  供給チューブ、１３５  廃液部、１４０  給紙トレイ、１４１  給紙部、１４２  給紙口、１４４  給紙駆動ローラ、１４６  給紙従動ローラ、１５０  給紙ガイド、１６０  記録部、１６１  プラテン、１７０  排紙部、１７１  排紙駆動ローラ、１７２  排紙従動ローラ、１７４  排紙口、１８０  排紙ガイド下、１８２  排紙ガイド上
【図１】
2006159711.tif 000003
【図２】
2006159711.tif 000004
【図３】
2006159711.tif 000005
【図４】
2006159711.tif 000006
【図５】
2006159711.tif 000007
【図６】
2006159711.tif 000008
【図７】
2006159711.tif 000009